(57)【要約】【課題】復水器の冷却用の冷却水に溶存する空気の影響を低減させる。【解決手段】実施形態によれば、直接接触式復水装置は、復水器１０１、復水戻り管、循環水ポンプ、冷却塔と、冷却水供給管１６１を備える。復水器１０１は、タービン排気が流入するタービン排気入口部と、復水器本体胴１１２と、その内部空間１１２ｓに冷却水を供給し散布する冷却水散布部１２０と、復水器水室１３０と、復水器水室１３０内の上部に接続される排気管１３４とを具備する。復水器水室１３０は、水室胴１３１およびその内部に流路を形成する仕切り板１３２を有し、復水器本体胴１１２の外側に取り付けられ冷却水散布部１２０に供給される冷却水を受け入れて保持する。水室胴１３１および仕切り板１３２とは、復水器水室１３０内の冷却水の圧力を、冷却水に溶解する空気が析出する圧力に調整する圧力調整部２００を構成する。【選択図】図３
2020041785.tif 000002
【特許請求の範囲】
【請求項１】
蒸気タービンからのタービン排気を受け入れて冷却水を噴射して前記タービン排気中の蒸気を凝縮させ器内を負圧に維持する復水器と、
前記復水器で凝縮した復水を受け入れて冷却し前記冷却水として保持する冷却塔と、
前記復水を前記復水器から前記冷却塔に移送するための復水戻り管および前記復水戻り管に設けられた少なくとも１台の循環水ポンプと、
前記冷却塔から前記冷却水を前記復水器に移送するための冷却水供給管と、
を備えた直接接触式復水装置であって、
前記復水器は、
前記タービン排気が流入するタービン排気入口部と、
前記タービン排気入口部を介して前記タービン排気を受け入れる復水器本体胴と、
前記復水器本体胴の内部空間に、前記冷却水を供給し散布する冷却水散布部と、
前記復水器本体胴の外側に取り付けられた容器状の水室胴と、前記水室胴の内部にその底部から上方に延びて内部の流路を形成する仕切り板と、を有し、前記冷却水を受け入れて前記冷却水が前記冷却水散布部に移動するまで前記冷却水を保持する復水器水室と、
前記復水器水室内の上部に接続され、前記復水器水室内の空気を排出する排気管と、
を具備し、
前記水室胴および前記仕切り板とは、前記復水器水室内の前記冷却水の圧力を、前記冷却水に溶解する空気が析出する圧力に調整する圧力調整部を構成する、
ことを特徴とする直接接触式復水装置。
【請求項２】
前記仕切り板の上端を越える際の前記冷却水の圧力は、前記復水器本体胴内の圧力と同程度になるように前記復水器水室の上端の高さ位置が設定されていることを特徴とする請求項１に記載の直接接触式復水装置。
【請求項３】
前記圧力調整部は、
前記復水器水室内の前記冷却水の液位を検出する液位検出器と、
前記排気管に設けられて、前記液位を調節する液位調節弁と、
前記液位を所定の値とするために、前記液位検出器の出力を受け入れて前記液位調節弁に開度指令を出力する水室液位制御装置と、
をさらに備えることを特徴とする請求項１または請求項２に記載の直接接触式復水装置。
【請求項４】
前記少なくとも１台の循環水ポンプは、２台以上であり、
前記水室液位制御装置は、前記循環水ポンプの１台が運転中に停止した場合に、当該情報に基づく先行制御信号を生成し、これにより補正された値を出力する、
ことを特徴とする請求項３に記載の直接接触式復水装置。
【請求項５】
前記圧力調整部において、前記水室胴は、その上端の高さ位置が、前記冷却水のサイフォン限界よりも高い位置となるように設定されていることを特徴とする請求項１または請求項２に記載の直接接触式復水装置。
【請求項６】
前記仕切り板には、前記復水器水室の底部の近傍の部分に連通孔が形成されていることを特徴とする請求項１ないし請求項４のいずれか一項に記載の直接接触式復水装置。
【発明の詳細な説明】
【技術分野】
【０００１】
本発明の実施形態は、蒸気タービンからの排ガスを受け入れる直接接触式復水装置に関する。
【背景技術】
【０００２】
地熱発電プラントとは、地熱により発生した蒸気を利用し蒸気タービンを回転させ、仕事を終えた蒸気は、蒸気タービンに接続された復水器において凝縮するシステムである。一般に、地熱発電では、蒸気が凝縮した復水を蒸気タービン側で再利用する必要がないため、熱交換率のよい直接接触式復水器が用いられ、復水はこの復水器での冷却水として利用される。冷却水の冷却には、冷却塔に直接接触式空気冷却方式が採用されることが多い。
【先行技術文献】
【特許文献】
【０００３】
【特許文献１】特開２００７−８５２９６号公報
【発明の概要】
【発明が解決しようとする課題】
【０００４】
直接接触式空気冷却方式による冷却塔における冷却水の冷却の際には、冷却塔において空気と冷却水が直接接触するため、冷却水に空気が溶解する。冷却水が、復水器に設けられた冷却水噴射ノズル付近に来ると圧力が真空に近づく。このため、溶存空気が析出し、冷却水体積が急増し、重量流量の低下を招く。設計値通りの冷却水流量を確保するためには、このような析出空気の影響を考慮する必要がある。
【０００５】
このような条件下で設計値通りの冷却水流量を確保しようとするには、例えばスプレーノズルの個数を増加させことが考えられる。この場合、スプレーノズルのコスト増加、および復水器サイズの増加に伴う本体コストやこれに付帯するコストの増加が問題となる。また、空気の析出によりスプレーノズルの必要差圧、すなわちスプレーノズル入口と復水器の機内圧との差が大きくなるため、復水器の高さ位置を下げるために掘り込みを増加すること、あるいは、冷却塔側の高さ位置を上げることにより静水頭を増加させることが考えられるが、この場合でも工事費等の増加が問題となる。
【０００６】
これとは別の対策として、水室の上端に空気抜き系統を設置し、空気抜きポンプを起動することで水室上部に滞留した析出空気を除去する方法が知られているが、これは積極的な溶存空気の析出・分離を目的とするものではない。復水器内圧に比べて水室内部は圧力が高いため、スプレーノズル部で析出する溶存空気を全て除去できるわけではなく、問題の解決方法を提供しているとは言えない。
【０００７】
そこで、本発明の実施形態は、復水器の冷却用の冷却水に溶存する空気の影響を低減させることを目的とする。
【課題を解決するための手段】
【０００８】
上述の目的を達成するため、本実施形態は、蒸気タービンからのタービン排気を受け入れて冷却水を噴射して前記タービン排気中の蒸気を凝縮させ器内を負圧に維持する復水器と、前記復水器で凝縮した復水を受け入れて冷却し前記冷却水として保持する冷却塔と、前記復水を前記復水器から前記冷却塔に移送するための復水戻り管および前記復水戻り管に設けられた少なくとも１台の循環水ポンプと、前記冷却塔から前記冷却水を前記復水器に移送するための冷却水供給管と、を備えた直接接触式復水装置であって、前記復水器は、前記タービン排気が流入するタービン排気入口部と、前記タービン排気入口部を介して前記タービン排気を受け入れる復水器本体胴と、前記復水器本体胴の内部空間に、前記冷却水を供給し散布する冷却水散布部と、前記復水器本体胴の外側に取り付けられた容器状の水室胴と、前記水室胴の内部にその底部から上方に延びて内部の流路を形成する仕切り板と、を有し、前記冷却水を受け入れて前記冷却水が前記冷却水散布部に移動するまで前記冷却水を保持する復水器水室と、前記復水器水室内の上部に接続され、前記復水器水室内の空気を排出する排気管と、を具備し、前記水室胴および前記仕切り板とは、前記復水器水室内の前記冷却水の圧力を、前記冷却水に溶解する空気が析出する圧力に調整する圧力調整部を構成する、ことを特徴とする。
【発明の効果】
【０００９】
本発明の実施形態によれば、復水器の冷却用の冷却水に溶存する空気の影響を低減させることができる。
【図面の簡単な説明】
【００１０】
【図１】第１の実施形態に係る直接接触式復水装置の構成を示す系統図である。
【図２】第１の実施形態に係る直接接触式復水装置における復水器の構成を示す図３のＩＩ−ＩＩ線矢視立断面図である。
【図３】第１の実施形態に係る直接接触式復水装置における復水器の構成を示す図２のＩＩＩ−ＩＩＩ線矢視立断面図である。
【図４】第１の実施形態に係る直接接触式復水装置内の概念的な圧力分布図である。
【図５】第２の実施形態に係る直接接触式復水装置における復水器の構成を示す図６のＶ−Ｖ線矢視立断面図である。
【図６】第２の実施形態に係る直接接触式復水装置における復水器の構成を示す図５のＶＩ−ＶＩ線矢視立断面図である。
【図７】第２の実施形態に係る直接接触式復水装置における復水器の水室液位制御装置の構成を示すブロック図である。
【図８】第３の実施形態に係る直接接触式復水装置における復水器の構成を示す図９のＶＩＩＩ−ＶＩＩＩ線矢視立断面図である。
【図９】第３の実施形態に係る直接接触式復水装置における復水器の構成を示す図８のＩＸ−ＩＸ線矢視立断面図である。
【発明を実施するための形態】
【００１１】
以下、図面を参照して、本発明の実施形態に係る直接接触式復水装置について説明する。ここで、互いに同一または類似の部分には、共通の符号を付して、重畳する説明は省略する。
【００１２】
［第１の実施形態］
図１は、第１の実施形態に係る直接接触式復水装置の構成を示す系統図である。また、図２は、第１の実施形態に係る直接接触式復水装置における復水器の構成を示す図３のＩＩ−ＩＩ線矢視立断面図である。また、図３は、図２のＩＩＩ−ＩＩＩ線矢視立断面図である。
【００１３】
直接接触式復水装置１００は、タービン排気入口部１１１と、復水器１０１と、冷却塔１４０と、２台の循環水ポンプ１５２とを有する。なお、循環水ポンプ１５２は、２台に限定せず、１台あるいは３台以上の場合であってもよい。
【００１４】
復水器１０１は、タービン排気入口部１１１を介して蒸気タービン１０からのタービン排気を受け入れて、受け入れたタービン排気を冷却水と直接に接触させることによりタービン排気中の蒸気を凝縮させて復水とし、タービン排気圧力を所定の負圧に維持する。
【００１５】
冷却塔１４０は、復水器１０１で生じた復水を受け入れて冷却し、復水器１０１に冷却水として供給する。冷却水が送水される駆動力は、基本的には、冷却塔１４０内の圧力（大気圧）と復水器１０１内の圧力（負圧）との差圧と、冷却塔１４０および復水器１０１のそれぞれの高さ位置の差による静水頭である。
【００１６】
循環水ポンプ１５２は、負圧状態にある復水器１０１から大気圧状態の冷却塔１４０に、復水を圧送する。
【００１７】
復水器１０１は、タービン排気を受け入れる内部空間１１２ｓを形成する復水器本体胴１１２、内部空間１１２ｓ内に冷却水を散布する冷却水散布部１２０、および復水器水室１３０を有する。復水器水室１３０は、圧力調整部２００を有する。
【００１８】
復水器本体胴１１２は、冷却水散布部１２０を内蔵し、タービン排気入口部１１１を介して蒸気タービン１０からのタービン排気を受け入れる。復水器本体胴１１２は、タービン排気の流れに沿って延びてかつ上下に拡がり互いに対向するように設けられた２枚の側板１１２ａ（図３）、２枚の側板１１２ａの上端と接続する上板１１２ｂ（図３）、冷却水と接触して冷却された蒸気が凝縮した復水を保持するホットウェル１１２ｄ、および、タービン排気の流れの下流側に配された端板１１２ｃを有する。２枚の側板１１２ａ、上板１１２ｂ、端板１１２ｃ、およびホットウェル１１２ｄは、互いに相俟って内部空間１１２ｓを形成する。内部空間１１２ｓは、タービン排気入口部１１１と接続している。ホットウェル１１２ｄから復水器本体胴１１２の外側に流出する復水は、循環水ポンプ１５２の吸い込み圧力を確保するためにさらに深い位置まで掘り下げられた吸い込み側ピット１１３に流入する。
【００１９】
冷却水散布部１２０は、内部空間１１２ｓ内に配された複数の噴射ヘッダ１２１と、それぞれの噴射ヘッダ１２１に取り付けられた複数の噴射部１２２（図３）を有する。噴射部１２２は、たとえば、スプレーノズルである。
【００２０】
復水器水室１３０は、冷却塔１４０から受け入れて冷却水散布部１２０に移送される冷却水を保持する。また、冷却水には、直接接触式空気冷却方式である冷却塔１４０において空気が混入しているので、復水器水室１３０の上端には、空気抽出機２０と接続され、復水器水室１３０内からの空気を、導く排気管１３４が取り付けられている。
【００２１】
なお、空気抽出機２０は、駆動蒸気管２１により供給される駆動蒸気により、排気管１３４側の気体を吸引し、流出配管２２により、たとえば、図示しないインターコンデンサに排出する。なお、排気管１３４側の気体を吸引する空気抽出装置としては、空気抽出機２０に限らず、たとえば、冷却水の混入に対する処置能力を有する真空ポンプを用いた装置などであってもよい。
【００２２】
冷却塔１４０は、上部開口１４１ａにより外気と連通し内部が大気圧である開放容器１４１、復水を開放容器１４１の内部に散布する散水管１４２、散布されている復水に外気を送風する送風機１４３を有する。開放容器１４１の径方向の外側には、堰１４４が設けられている。堰１４４の内部は、開放容器１４１の下部開口１４１ｂを介して開放容器１４１の底部と連通している。散水管１４２により開放容器１４１内に散布された復水は、送風機１４３から送られる外気により蒸発潜熱を奪われ冷却され、開放容器１４１の底部および堰１４４内に保持される。
【００２３】
吸い込み側ピット１１３と、冷却塔１４０内の散水管１４２とは、復水戻り管１５１で接続されている。復水戻り管１５１には、循環水ポンプ１５２と、循環水ポンプ１５２の出口側に復水流量調節弁１５３とが設けられている。循環水ポンプ１５２は、吸い込み側ピット１１３内の復水を昇圧し、散水管１４２に移送する。復水流量調節弁１５３は、循環水ポンプ１５２により移送される復水の流量を調節可能である。
【００２４】
堰１４４内と復水器水室１３０とは、冷却水供給管１６１により接続されている。冷却水供給管１６１には、冷却水供給弁１６２が設けられている。冷却水は、前述のように、主に、冷却塔１４０内の圧力（大気圧）と復水器１０１内の圧力（負圧）の差圧により、堰１４４内から復水器水室１３０内に送水される。冷却水供給弁１６２は、冷却水供給管１６１を経て移送される冷却水の流量を調節可能である。
【００２５】
以下、図２および図３を参照しながら、直接接触式復水装置１００の詳細を説明する。
【００２６】
復水器本体胴１１２内の内部空間１１２ｓ（図３）には、冷却水散布部１２０の複数の噴射ヘッダ１２１が、互いに間隔をおいて、水平方向に延びている。それぞれの噴射ヘッダ１２１には、長手方向に互いに間隔をおいて、複数の噴射部１２２が取り付けられている。この結果、複数の噴射部１２２は、復水器本体胴１１２の内部空間１１２ｓ内に、３次元的に分布するように配されている。
【００２７】
復水器水室１３０は、直方体の外形を有する容器状の水室胴１３１と、その内部に設けられた仕切り板１３２を有する。水室胴１３１は、外形が直方体形状で、下端の底板１３１ａ、上端の上板１３１ｂ、およびこれらを結合する互いに対向する側板１３１ｃ、１３１ｄを有する。なお、図２および図３では、底板１３１ａ、上板１３１ｂ、および側板１３１ｃ、１３１ｄが平板の場合を例にとって示しているが、これに限定されない。冷却水を一時保有可能に形成されているならば、これらのいずれかあるいはすべてが、曲面状であってもよい。
【００２８】
復水器水室１３０の水室胴１３１と仕切り板１３２は、後述するように、復水器水室１３０において、冷却水が復水器水室１３０内の仕切り板１３２の上端を越える際の冷却水の圧力を、冷却水に溶解する空気が析出する圧力に調整する圧力調整部２００を構成する。
【００２９】
ここで、冷却水に溶解する空気が析出する圧力は、実質的に溶解していた空気のほとんどが冷却水中に溶解しなくなり、空気抽出機２０側に流出することを言うものとする。ここで、「空気のほとんど」とは、たとえば、９０％以上、あるいは９５％以上程度、あるいはそれ以上でもよい。この値は、噴射部１２２付近での溶存空気の析出影響を許容範囲に抑えるという観点から設定される。
【００３０】
空気の冷却水への溶解度は、ヘンリの法則により、空気の分圧あるいは冷却水の圧力に比例すると考えられる。空気が混入する圧力は、冷却塔１４０における圧力すなわち、ほぼ大気圧である。したがって、たとえば、９５％程度が析出する圧力は、０．０５気圧、すなわち、０．５ＭＰａ程度の圧力となる。
【００３１】
復水器水室１３０は、復水器本体胴１１２の外側に取り付けられている。すなわち、復水器水室１３０は、一方の側部１３１ｄを復水器本体胴１１２の一方の側板１１２ａの外側表面に密着するように取り付けられている。
【００３２】
圧力調整部２００を構成する仕切り板１３２は、平板であり、側部１３１ｄおよびこれと対向する側部１３１ｃの間に、これらと平行に配されている。仕切り板１３２は、下端が底板１３１ａの位置にあり、上方に延びて、水室胴１３１内の空間の上部を除く部分を第１領域Ｖ１と第３領域Ｖ３の２つの領域に区分する。また、仕切り板１３２の上端よりも高い領域を第２領域Ｖ２と呼ぶこととする。なお、図３では、仕切り板１３２が平板の場合を例にとって示しているが、これに限定されない。水室胴１３１内の空間の上部を除く部分を第１領域Ｖ１と第３領域Ｖ３の２つの領域に区分可能に形成されているならば、曲面状であってもよい。
【００３３】
仕切り板１３２には、第１領域Ｖ１と第３領域Ｖ３を連通し、復水器１０１を使用状態にする際に、復水器水室１３０内に所定のレベルまで冷却水を満たすための、すなわち水張り用の連通孔１３２ａが形成されている。水張り用の連通孔１３２ａの高さ位置は、仕切り板１３２において低い側に設けられる。水張り用の連通孔１３２ａの高さ位置は、たとえば、仕切り板１３２の下半部分に形成する。あるいは、仕切り板１３２の下端部に切り欠きを設けてもよい。
【００３４】
連通孔１３２ａは、初期の復水器水室１３０内の水張り用であるが、通常運転時には、復水器水室１３０内の冷却水の第１領域Ｖ１から第３領域Ｖ３へのバイパス流れを生ずる部分となる。したがって、連通孔１３２ａの大きさは、仕切り板１３２の効果を阻害しないように、復水器水室１３０内の冷却水の大部分が、第１領域Ｖ１から第２領域Ｖ２を経て第３領域Ｖ３に至るように、この主たる流れを乱さないような大きさに制限する。
【００３５】
底板１３１ａの第１領域Ｖ１側の部分には、冷却水供給管１６１と接続される冷却水入口１３８が形成されている。また、第２領域の上部の上板１３１ｂには、空気抽出機２０に接続する排気管１３４が貫通する開口が形成されている。排気管１３４は、水室胴１３１内の空間と連通している。また、複数の噴射ヘッダ１２１は、復水器本体胴１１２の側板１１２ａおよび復水器本体胴１１２の側部１３１ｄを貫通し、水室胴１３１内の空間の第３領域Ｖ３の部分と連通している。
【００３６】
本第１の実施形態においては、第２領域Ｖ２における冷却水の圧力が、復水器１０１の器内圧すなわち復水器本体胴１１２内の内部空間１１２ｓ内の圧力と同程度となるように、復水器水室１３０の上端の高さ位置が設定されている。
【００３７】
このように、復水器１０１の復水器水室１３０の圧力調整部２００は、その底部から上方に延びて内部の流路を形成する仕切り板１３２を有し、冷却材を受け入れて冷却材が冷却水散布部１２０に移動するまで、冷却材を保持する。この第２領域Ｖ２を含む内部の流路において、第２領域Ｖ２における冷却水の圧力を低く抑えることにより、冷却材に混入する空気を析出させようとするものである。
【００３８】
図４は、第１の実施形態に係る直接接触式復水装置内の概念的な圧力分布図である。横軸は、図１に示されている復水器１０１のホットウェル１１２ｄを始点に、順次、復水および冷却水が移動し、冷却水が噴射される復水器１０１の内部空間１１２ｓ内に至るまでの経路を示す。縦軸は、それぞれの位置における復水および冷却水における概略の圧力を示す。なお、ここで、流体の名称については、タービン排気中の蒸気が復水器１０１で凝縮した時点から冷却塔１４０に至るまでの流体を復水と呼び、冷却塔１４０で散布された時点から復水器１０１の冷却水散布部１２０により内部空間１１２ｓ内に噴射されるまでの流体を冷却水と呼び分けるものとする。以下、基本的に図１および図４を参照しながら、圧力分布と、本実施形態に係る直接接触式復水装置１００の作用を説明する。
【００３９】
まず、復水器本体胴１１２内の内部空間１１２ｓで、噴射される冷却水との直接接触によりタービン排気中の蒸気が凝縮してホットウェル１１２ｄに貯留された復水における圧力は、ほぼ復水器１０１の器内圧Ｐｓと同程度である。
【００４０】
ホットウェル１１２ｄから吸い込み側ピット１１３に移行した復水は、より低い位置となることにより静水頭分から圧力損失を減じた値だけ圧力が上昇し、循環水ポンプ１５２の必要吸い込み圧力（ＮＰＳＨ）以上の圧力Ｐ１となる。
【００４１】
循環水ポンプ１５２に吸い込まれた復水は、昇圧され、出口圧力Ｐ２の圧力で吐出される。吐出された復水は、復水戻り管１５１および復水流量調節弁１５３を経由して冷却塔１４０に送られるが、この間の圧力損失、および循環水ポンプ１５２と冷却塔１４０の散水管１４２とのヘッド差により、圧力Ｐ３まで圧力が低下する。
【００４２】
冷却塔１４０に到達した復水は、散水管１４２により大気圧Ｐａ状態の開放容器１４１内に散布される。散布された復水は、冷却されて、開放容器１４１の底部および堰１４４内に冷却水として保持される。
【００４３】
これ以降、冷却水は、堰１４４から復水器本体胴１１２の内部空間１１２ｓに噴射されるまで、大気圧Ｐａと器内圧Ｐｓとの差圧ΔＰから、堰１４４の高さ位置を基準とした復水器本体胴１１２の噴射部１２２の高さ位置ΔＨに基づくヘッドγｇＨを減じた値を駆動力として圧送され、その経路での圧力は、以下のように変化する。ただし、γは冷却水の密度、ｇは重力加速度である。
【００４４】
まず、堰１４４から、冷却水供給管１６１および冷却水供給弁１６２を経由して、復水器水室１３０の水室胴１３１の冷却水入口１３８（図３）に至るので、この間の圧力損失、および堰１４４と水室胴１３１の冷却水入口１３８とのヘッド差により、圧力Ｐ４まで圧力が低下する。
【００４５】
次に、水室胴１３１内の第１領域Ｖ１から第２領域Ｖ２まで高さ位置が上昇するため、この水頭差および水室胴１３１内の圧力損失により、冷却水の圧力は、圧力Ｐｖ１まで低下する。ここで、圧力Ｐｖ１は、器内圧Ｐｓと同程度の圧力である。
【００４６】
このように、冷却水は、圧力調整部２００を構成する水室胴１３１内を、圧力調整部２００を構成する仕切り板１３２に沿って上昇することにより減圧されるため、冷却塔１４０において冷却水に溶融した空気が析出する。析出した空気は、第２領域Ｖ２の空間の上部に溜まり、排気管１３４を経由して、空気抽出機２０により連続的に吸い出される。
【００４７】
次に、冷却水は、水室胴１３１内の第２領域Ｖ２から第３領域Ｖ３に移動する。この結果、高さ位置が低下するため、水室胴１３１内の圧力損失はあるものの、冷却水の圧力は、圧力Ｐ５まで上昇する。この結果、圧力Ｐ５と器内圧Ｐｓとの差圧により、第３領域Ｖ３に一端が開口している各噴射ヘッダ１２１を経て、噴射部１２２から内部空間１１２ｓに冷却水が散布される。
【００４８】
従来の直接接触式復水器では、冷却塔において冷却水中に溶融した空気が噴射部で析出して噴射される水の体積流量が急増することを考慮する必要があった。すなわち、噴射部の個数を増加させることや、噴射部の有効差圧を増加させるために、復水器掘り込みを増加もしくは冷却塔レベルをかさ上げする必要があった。
【００４９】
一方、本実施形態によれば、圧力調整部２００の水室胴１３１と仕切り板１３２により、冷却水が、水室胴１３１内に設けられた仕切り板１３２に沿って上昇し復水器水室１３０内の上部を回りこむ際に、冷却水が、器内圧Ｐｓと同程度まで減圧されるため、冷却塔にて溶融した空気が析出される。この結果、噴射部１２２での溶存空気の析出を抑制することができる。
【００５０】
このように、本実施形態によれば、析出空気の影響を低減あるいは排除することができるため、復水器１０１における冷却性能が確保される。また、噴射部個数の低減、復水器設置のための基礎の掘り込み量の低減、冷却塔のかさ上げ量の低減が可能となり、建設コストを低減することができる。
【００５１】
［第２の実施形態］
図５は、第２の実施形態に係る直接接触式復水装置における復水器の構成を示す図６のＶ−Ｖ線矢視立断面図である。また、図６は、図５のＶＩ−ＶＩ線矢視立断面図である。
【００５２】
本第２の実施形態は、第１の実施形態の変形である。本第２の実施形態においては、復水器水室１３０は、液位検出器１３３、液位調節弁１３５、および水室液位制御装置１３７をさらに有する。その他の点では、第１の実施形態と同様である。
【００５３】
液位検出器１３３は、復水器水室１３０の水室胴１３１内の液位を検出し出力する。液位調節弁１３５は、排気管１３４に設けられており、水室胴１３１内から空気抽出機２０側に流出する空気などの不凝結ガスの流量を調節可能である。水室液位制御装置１３７は、液位検出器１３３からの信号を受け入れて、制御演算等を行い、液位調節弁１３５に開度指令信号を出力する。
【００５４】
図７は、第２の実施形態に係る直接接触式復水装置における復水器の水室液位制御装置の構成を示すブロック図である。
【００５５】
水室液位制御装置１３７は、水室胴１３１および仕切り板１３２と相俟って、冷却水が復水器水室１３０内の仕切り板１３２の上端を越える際の冷却水の圧力を、前記冷却水に溶解する空気が析出する圧力に調整する圧力調整部２００を構成する。水室液位制御装置１３７は、液位設定器１３７ａ、減算器１３７ｂ、比例・積分要素１３７ｃ、ＡＮＤロジック１３７ｄ、先行信号設定器１３７ｅ、および加算器１３７ｆを有する。水室液位制御装置１３７のこれらの要素は、たとえば、ＡＮＤロジック１３７ｄではプログラマブル・ロジック・コントローラ（ＰＬＣ）、その他の要素にあっては、回路基板を有する演算器を用いてもよい。あるいは、計算機を用いてソフトウェアーによりこれらの機能を実現してもよい。
【００５６】
液位設定器１３７ａは、水室胴１３１内の液位を所定の設定値とする設定信号を出力する。なお、液位設定器１３７ａは、外部からの設定値入力を受け入れて、受け入れた値を設定値として出力することでもよい。
【００５７】
減算器１３７ｂは、液位設定器１３７ａの出力および液位検出器１３３の出力を受け入れて、液位設定器１３７ａの出力から液位検出器１３３の出力を減じた値を出力する。
【００５８】
比例・積分要素１３７ｃは、減算器１３７ｂからの出力を入力として受け入れて、この入力に比例する値と、この入力を時間的に積分した値に比例する値の合計値を、定常時の弁開度指令信号として出力する。
【００５９】
ＡＮＤロジック１３７ｄは、「ＳＪＡＥ駆動蒸気弁開」信号と、「循環水ポンプトリップ」信号との両者が成立した場合に、先行指令信号を出力する。ここで、ＳＪＡＥ駆動蒸気弁とは、空気抽出機２０の駆動蒸気管２１に設けられた弁（図示しない）であり、この弁が開状態であることは、空気抽出機２０が作動し、水室胴１３１内からの排出機能が生きていることを示す。また、「循環水ポンプトリップ」信号は、複数台の循環水ポンプ１５２のうちの１台が停止した場合に出力される。したがって、ＡＮＤロジック１３７ｄは、空気抽出機２０が作動している状態で、複数台のうち１台の循環水ポンプ１５２が停止するという大きな変化が発生した場合に、先行出力指令を発する。
【００６０】
先行信号設定器１３７ｅは、ＡＮＤロジック１３７ｄが先行出力指令を出力した場合に、比例・積分要素１３７ｃからの定常時の弁開度指令信号を補正する開度指令補正信号を出力する。なお、ＡＮＤロジック１３７ｄが開度指令補正信号の値は、通常運転時に、循環水ポンプ１５２の１台がトリップした場合の復水器１０１まわりの挙動解析あるいは実機試験等により適切な値を求めた上で設定する。また、開度指令補正信号の値は、一定値ではなく、時間的に変化するものを用いてもよい。
【００６１】
加算器１３７ｆは、比例・積分要素１３７ｃからの定常時の弁開度指令信号と、先行信号設定器１３７ｅからの出力を受け入れて、両者の合計値を、弁開度指令信号として液位調節弁１３５に出力する。
【００６２】
このような構成により、復水器水室１３０の上部で冷却水から析出した空気が、復水器水室１３０の上部に一定量残留して、一定の高さ位置に気液界面が形成されるように、液位調節弁１３５により排出量が制御されている。
【００６３】
この復水器水室１３０の上部に残留する空気により形成される気液自由界面の液位は、液位検出器１３３により監視され、通常時はフィードバック制御により、液位調節弁１３５が動作する。すなわち、液位が上昇する場合は、液位検出器１３３の出力が増大する。このため、減算器１３７ｂの出力は減少し、これに伴い比例・積分要素１３７ｃからの定常時の弁開度指令信号が減少し、この信号は加算器１３７ｆから、液位調節弁１３５に出力される。
【００６４】
液位調節弁１３５のサーボ機構であるポジショナ１３５ａは、開度指令信号の増大を受けて弁本体１３５ｂの開度を開度指令信号に見合った開度まで減少させる。液位調節弁１３５の開度が減少したことにより、空気抽出機２０側に排出される析出空気流量が減少する。この結果、復水器水室１３０の上部に残留する析出空気の量が増大し、気液自由界面の液位は、所定の値に向けて低下する。
【００６５】
一方、通常運転中に循環水ポンプ１５２の複数台中の１台がトリップし循環水ポンプ１台運転となった場合には、ホットウェル１１２ｄから冷却塔１４０に移送する復水の流量が低下するため、蒸気タービン１０から復水器１０１に流入するタービン排気を減少させる。また、冷却水供給弁１６２の開度を下げ復水器１０１に供給する冷却水も減少させる。
【００６６】
このように、蒸気タービン１０および復水器１０１等を含めたタービン設備は、ランバックにより循環水ポンプが１台少ない運転状態に見合った低い出力状態に移行する。すなわち、低い出力状態で運転を維持することになる。しかしながら、循環水ポンプ１５２の複数台中の１台がトリップすると、復水器１０１まわりの状態が大きく変動するため、通常のフィードバック制御では対応できない可能性がある。
【００６７】
この場合、ＡＮＤロジック１３７ｄからの先行出力指令により先行信号設定器１３７ｅがフィードフォワード信号として開度指令補正信号を出力し、直接、液位調節弁１３５の開度を、事象発生後、直接接触式復水装置等の特性により生ずる過渡状態に応じて適切な開度となるよう先行的に開度指令を補正する。
【００６８】
なお、フィードバック制御のみでは対応しきれないような事象の発生時に、その情報に基づいて先行制御信号すなわちフィードフォワード信号を生成し出力するケースは、循環水ポンプ１台トリップに限定せずに、たとえば、電力系統側の部分負荷喪失など他の事象発生の場合を加えてもよい。その場合、先行信号設定器１３７ｅが出力する開度指令補正信号は、それぞれの事象に応じた値とする。
【００６９】
以上のように、本第２の実施形態においては、圧力調整部２００の要素である水室胴１３１、仕切り板１３２に加え、液位検出器１３３、液位調節弁１３５、および水室液位制御装置１３７による上述のような構成により、復水器水室１３０の上部の所定の高さ位置に気液自由界面が形成される。このため、気液自由界面の面積が定常的に確保され、析出した空気が冷却水から分離しやすくなり、脱気効率が向上する。これにより、噴射部１２２での溶存空気の析出を、さらに抑制することができる。
【００７０】
［第３の実施形態］
図８は、第３の実施形態に係る直接接触式復水装置における復水器の構成を示す図９のＶＩＩＩ−ＶＩＩＩ線矢視立断面図である。また、図９は、図８のＩＸ−ＩＸ線矢視立断面図である。
【００７１】
本第３の実施形態は、第１の実施形態の変形である。本第３の実施形態においては、復水器水室１３０の上端部の高さ位置が、冷却水のサイフォン限界高さよりも高くなるように設定されている。その他の点では、第１の実施形態と同様である。
【００７２】
ここで用いる、サイフォン限界高さとは、復水器水室１３０内で、気液自由界面が、上昇する高さの限界（限界高さ）を言うものとする。このサイフォン限界高さは、基本的には、冷却水の温度に対応する飽和圧力に基づくが、大気圧、冷却塔１４０内の水位、および空気抽出機２０による吸い込み圧力等により影響される。したがって、これらを考慮して、復水器水室１３０の上端部の高さ位置を決定する。
【００７３】
復水器水室１３０の上端部がサイフォン限界高さよりも高いため、復水器水室１３０の上部には、自然に、気液自由界面が形成される。空気抽出機２０への排出量が、空気の析出量を上回る場合でも、気液自由界面は冷却水のサイフォン限界高さよりも上昇することはない。
【００７４】
なお、空気の析出量が、空気抽出機２０への排出量を上回ると、析出した空気が排出されきれずに気液自由界面が徐々に低下する。この結果、気液界面近傍の冷却水の圧力が上昇し、空気の析出量が低下することになる。
【００７５】
このような場合でも、気液界面が一定の高さ位置になるように、空気抽出機２０への排出量を調節する。具体的には、空気抽出機２０の駆動蒸気管２１を流れる蒸気量を増加させる、あるいは、空気抽出機２０の駆動蒸気の圧力設定を上げる等を行うことにより、調整することができる。
【００７６】
以上のように、本第３の実施形態においては、圧力調整部２００の要素である水室胴１３１、仕切り板１３２は、基本的に第１の実施形態と同様の構成で、復水器水室１３０の上端部の高さ位置が、冷却水のサイフォン限界高さよりも高くなるように設定することにより、特別の設備を追加することなく、安定した状態で、冷却水中に溶解する空気の除去が可能となる。
【００７７】
［その他の実施形態］
以上、本発明のいくつかの実施形態を説明したが、これらの実施形態は、例として提示したものであり、発明の範囲を限定することは意図していない。また、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７８】
１０…蒸気タービン、２０…空気抽出機、２１…駆動蒸気管、２２…流出配管、１００…直接接触式復水装置、１０１…復水器、１１１…タービン排気入口部、１１２…復水器本体胴、１１２ａ…側板、１１２ｂ…上板、１１２ｃ…端板、１１２ｄ…ホットウェル、１１２ｓ…内部空間、１１３…吸い込み側ピット、１２０…冷却水散布部、１２１…噴射ヘッダ、１２２…噴射部、１３０…復水器水室、１３１…水室胴、１３１ａ…底板、１３１ｂ…上板、１３１ｃ、１３１ｄ…側板、１３２…仕切り板、１３２ａ…連通孔、１３３…液位検出器、１３４…排気管、１３５…液位調節弁、１３５ａ…ポジショナ、１３５ｂ…弁本体、１３７…水室液位制御装置、１３７ａ…液位設定器、１３７ｂ…減算器、１３７ｃ…比例・積分要素、１３７ｄ…ＡＮＤロジック、１３７ｅ…先行信号設定器、１３７ｆ…加算器、１３８…冷却水入口、１４０…冷却塔、１４１…開放容器、１４１ａ…上部開口、１４１ｂ…下部開口、１４２…散水管、１４３…送風機、１４４…堰、１５１…復水戻り管、１５２…循環水ポンプ、１５３…復水流量調節弁、１６１…冷却水供給管、１６２…冷却水供給弁、２００…圧力調整部、Ｖ１…第１領域、Ｖ２…第２領域、Ｖ３…第３領域
【図１】
2020041785.tif 000003
【図２】
2020041785.tif 000004
【図３】
2020041785.tif 000005
【図４】
2020041785.tif 000006
【図５】
2020041785.tif 000007
【図６】
2020041785.tif 000008
【図７】
2020041785.tif 000009
【図８】
2020041785.tif 000010
【図９】
2020041785.tif 000011